(57)【要約】【課題】電気的な特別な制御を要することなく、比較的容易にステップ下照明の光を点滅させることができる乗客コンベアの提供。【解決手段】本発明は、無端状に連結した複数のステップ３と、ステップ３の裏側に配置されて、ステップ３の幅方向に並列に設けられたステップ下照明１６とを備えた傾斜型乗客コンベア１であって、ステップ３とステップ下照明１６との間に配置された板材１７を備えており、この板材１７は、ステップ３の移動方向に沿って交互に配置されたステップ下照明１６の光１６Ｃを通過させる光通過部を形成する複数のスリット１７ａと、光１６Ｃを遮る遮光部を形成する構成部分１７ｂとを有している。【選択図】図４
2018002363.tif 000002
【特許請求の範囲】
【請求項１】
無端状に連結された複数のステップと、前記ステップの裏側に配置されたステップ下照明とを備え、前記ステップを駆動装置により移動させて乗客を搬送する乗客コンベアであって、
前記ステップと前記ステップ下照明との間に設けられており、前記ステップの移動方向に沿って交互に配置された前記ステップ下照明の光を通過させる光通過部と、前記ステップ下照明の光を遮る遮光部とを備えていることを特徴とする乗客コンベア。
【請求項２】
請求項１に記載の乗客コンベアであって、
前記ステップと前記ステップ下照明との間に配置された板材を備えており、前記光通過部は前記板材に形成された複数のスリットから成り、前記遮光部は隣り合う前記スリット間に形成された前記板材の構成部分から成ることを特徴とする乗客コンベア。
【請求項３】
請求項２に記載の乗客コンベアであって、
前記ステップの移動方向に沿う前記板材の長さ寸法は、前記ステップの移動方向に沿う前記ステップ下照明の長さ寸法に対応する長さ寸法から成ることを特徴とする乗客コンベア。
【請求項４】
請求項１に記載の乗客コンベアであって、
前記光通過部及び前記遮光部の数は、前記ステップ下照明から照射される光の点滅速度を考慮して設定されていることを特徴とする乗客コンベア。
【請求項５】
請求項１に記載の乗客コンベアであって、
前記ステップと前記ステップ下照明との間に配置された板材を備えており、前記光通過部は前記板材に形成された複数の丸穴または角穴から成り、前記遮光部は隣り合う前記丸穴間または前記角穴間に形成された前記板材の構成部分から成ることを特徴とする乗客コンベア。
【請求項６】
請求項１に記載の乗客コンベアであって、
前記ステップと前記ステップ下照明との間に配置された透明のシート体を備えており、前記遮光部は前記シート体に形成された複数の黒色部から成り、前記光通過部は隣り合う前記黒色部間に形成された前記シート体の構成部分から成ることを特徴とする乗客コンベア。
【請求項７】
請求項１に記載の乗客コンベアであって、
前記ステップ下照明は、上面を形成する透明部材を備えており、前記遮光部は前記透明部材に形成された複数の黒色部から成り、前記光通過部は隣り合う前記黒色部間に形成された前記透明部材の構成部分から成ることを特徴とする乗客コンベア。
【発明の詳細な説明】
【技術分野】
【０００１】
本発明は、ステップの照明を備えたエスカレーターや動く歩道等の乗客コンベアに関する。
【背景技術】
【０００２】
一般に、傾斜型乗客コンベア、及び水平型乗客コンベアは、建築構造物に設置された主枠（枠体とも言う）の中にステップ鎖にて無端状に連結された複数のステップを配置し、主枠乗り口側に設置された駆動装置から駆動鎖へと動力を伝達し、主枠乗り口側に設置された駆動スプロケットを介してステップ鎖に動力を伝達することによりステップを駆動している。
【０００３】
このような乗客コンベアに設置される照明類には、欄干下照明、ステップ下照明、足元照明等がある。これらは、乗降部周辺やステップ周辺を明るくしたり、ステップの噛み合い部や境界を判別できようにしたりして、安全に乗客が乗降できるようにするためのものである。
【０００４】
前述の足元照明は、乗降部において移動手すりの入り込み口近傍に配置され、乗降床からステップに、あるいはステップから乗降床へと足を乗せ変える箇所の周辺を明るく照らすものである。一般にこの照明は、白色系の色調であることが多い。
【０００５】
また、ステップ下照明は、乗降部においてステップの下方に配置され、乗降時におけるステップの境界を分かりやすくするためのものである。ステップ下照明はステップ境界部からその光が見えるようにして、ステップ間の境界部に足を乗せる可能性が低くなるように乗客を誘導する。このようなステップ下照明は一般に、緑色系の色調を連続点灯させたものが多いが、色調を変化させて特定の効果を得られるようにしたものもある。この種の従来技術が特許文献１に開示されている。この従来技術は、ステップの裏側に、ステップの幅方向に異なる色調の照明が配置されたステップ下照明を設け、通過するステップのタイミングに合わせて１つ、または複数のステップ毎にステップを照射する光の色調を変化させて乗客を特定のステップに誘導し、これにより乗客コンベア全体の混雑の軽減を図ったものである。
【先行技術文献】
【特許文献】
【０００６】
【特許文献１】特開２０１５−１１３２０６号公報
【発明の概要】
【発明が解決しようとする課題】
【０００７】
ところで一般に、点滅している照明は注意喚起の印象を与えるものであり、ステップ下照明の光を点滅させれば安全性を向上させることができる。ここで、ステップ下照明にＬＥＤ等の光源を採用し、電気的にステップ下照明の光を点滅させることは技術的には可能である。しかしながら、特に既設の乗客コンベアにあってステップ下照明の光を点滅可能とするためには、新たな制御機能を追加したり、点滅制御に対応可能な光源に変更する必要があり、設置コストが高くなる課題があった。なお、前述した特許文献１に記載された従来技術は、照明の色調を変化させるものであり、本発明とは技術思想が基本的に異なるものである。
【０００８】
上記課題を達成するために、本発明の目的は、電気的な特別な制御を要することなく、比較的容易に既存のステップ下照明の光を点滅させることができる乗客コンベアを提供することにある。
【課題を解決するための手段】
【０００９】
上記課題を達成するために、本発明に係る乗客コンベアは、無端状に連結された複数のステップと、前記ステップの裏側に配置されたステップ下照明とを備え、前記ステップを駆動装置により移動させて乗客を搬送する乗客コンベアであって、前記ステップと前記ステップ下照明との間に設けられており、前記ステップの移動方向に沿って交互に配置された前記ステップ下照明の光を通過させる光通過部と、前記ステップ下照明の光を遮る遮光部とを備えていることを特徴としている。
【発明の効果】
【００１０】
本発明に係る乗客コンベアは、電気的な特別な制御を要することなく、比較的容易にステップ下照明の光を点滅させることができ、設置コストを安くすることができる。前述した以外の課題、構成及び効果は、以下の実施形態の説明により明らかにされる。
【図面の簡単な説明】
【００１１】
【図１】本発明に係る乗客コンベアの一実施形態が適用される既設の傾斜型乗客コンベアの全体構成を示す側面図である。
【図２】図１に示す傾斜型乗客コンベアに備えられた既設のステップ下照明を示す側面図である。
【図３】図１のＡ方向から見た要部平面図である。
【図４】図２に対応させて描いた本実施形態の要部側面図である。
【図５】図３に対応させて描いた本実施形態の要部平面図である。
【図６】本実施形態に備えられたステップ下照明及び板部材を示す図で、（ａ）図は平面図、（ｂ）図は正面図である。
【発明を実施するための形態】
【００１２】
以下、本発明に係る乗客コンベアの実施の形態を図面に基づいて説明する。なお、以下の説明では、エスカレーターに代表される傾斜型乗客コンベアについて説明するが、動く歩道に代表される水平型乗客コンベアに適用してもよい。また、本実施形態は、既設の乗客コンベアに本発明を適用するという流れで説明する。
【００１３】
［既設の乗客コンベアの説明］
図１に示すように、建築構造物に据え付けられた既設の傾斜型乗客コンベア１は、建築構造物に設置された上部水平枠２Ａと下部水平枠２Ｂと中間傾斜枠２Ｃとから成る枠体２と、この枠体２に案内されて上下階間を移動循環する複数のステップ３とを有する。また、上部水平枠２Ａに設置され、ステップ３を駆動する駆動装置４と、水平面を考慮したときのステップ３の移動方向と直交する左右方向、すなわち幅方向の両側に位置する枠体２の部分に立設された欄干５とを有する。
【００１４】
複数のステップ３は、幅方向の両側を左右一対の無端状のステップ鎖６に連結されることにより互いに無端状に連結されている。これら左右のステップ鎖６は、上部水平枠２Ａ内に軸支された駆動スプロケット７と下部水平枠２Ｂ内に軸支された従動スプロケット８との間に巻き掛けられている。
【００１５】
駆動装置４は、電動機９と、この電動機９の回転を減速する減速機１０と、減速機１０の出力軸に設けられた動力伝達スプロケット１１と、この動力伝達スプロケット１１の動力を駆動スプロケット７に伝える駆動鎖１２と、減速機１０の入力軸側に設けられた制動装置１３とを備えている。また、駆動装置４は、制御装置１４から出力される各種制御信号によって駆動制御される。欄干５は、その周縁にステップ３と同期して駆動される無端状の移動手すり１５を案内している。
【００１６】
このように構成される既設の傾斜型乗客コンベア１では、乗り口の床下から現われるステップ３の周辺に光を照射するステップ周辺照明が設けられている。ステップ周辺照明としては、ステップ３の裏側に配置されたステップ下照明１６がある。
【００１７】
［既設のステップ下照明の説明］
図２及び図３に示すように、ステップ下照明１６は、上部及び下部のステップ乗降部近傍、かつステップ３の下方に位置しており、例えばステップ３の移動方向に沿う方向に所定の長さ寸法を有し、ステップ３の幅方向に単数もしくは複数本並列配置されている。例えば図３に示すように、２本並列に配置してある。乗降部近傍のステップ３の下方に配置されたこれらのステップ下照明１６から上方に向けて光１６Ｃを照射することにより、隣り合うステップ３の隙間から光１６Ｃが見えるようになっている。
【００１８】
［本実施形態の説明］
本実施形態に係る乗客コンベアの基本構成は、前述した図１〜図３に示したものと同等である。以下にあっては、本実施形態の特徴とするステップ下照明１６の近傍部分の構成を中心に説明する。
【００１９】
本実施形態は、ステップ３とステップ下照明１６との間に設けられており、ステップ３の移動方向に沿って交互に配置されたステップ下照明１６の光を通過させる光通過部と、ステップ下照明１６の光を遮る遮光部とを備えている。
【００２０】
すなわち図４〜図６に示すように、ステップ３とステップ下照明１６との間、例えばステップ下照明１６の上面に配置された剛性を有する板材１７を備えており、前述の光通過部は板材１７に形成された複数のスリット１７ａから成り、前述の遮光部は隣り合うスリット１７ａ間に形成された板材１７の構成部分１７ｂから成っている。
【００２１】
ステップ３の移動方向に沿う板材１７の長さ寸法は、ステップ３の移動方向に沿うステップ下照明１６の長さ寸法に対応する長さ寸法に、例えばステップ下照明１６の長さ寸法よりもわずかに長い寸法に設定してある。
【００２２】
板材１７は、ステップ３の幅方向に２本設けたステップ下照明１６に対応させて、ステップ３の幅方向に２本設けてある。これらの板材１７は図１に示した枠体２に固定した図示しないブラケットによって保持されている。
【００２３】
図４に示したように、ステップ下照明１６から上方に向けて照射された光１６Ｃは、その一部が板材１７のスリット１７ａを通り抜けてさらに上方のステップ３方向へ向かい、他の一部はスリット１７ａ間に形成された板材１７の構成部分１７ｂに遮られる。この状態でステップ３がステップ下照明１６の上方を通過すると、ステップ３上の乗客には隣り合うステップ３の隙間から見えるステップ下照明１６の光１６Ｃが点滅しているように見える。すなわちステップ下照明１６の光１６Ｃが板材１７によって見かけ上点滅している状態となる。
【００２４】
板材１７のスリット１７ａの数は、ステップ下照明１６の点滅速度を考慮して設定されている。ステップ３の移動方向に沿う一定長さの板材１７に対して、スリット１７ａの数を増やすと光１６Ｃの点滅速度を速くすることができ、その数を減らすと光１６Ｃの点滅速度を遅くすることができる。
【００２５】
以上のように構成した本実施形態に係る傾斜型乗客コンベア１によれば、ステップ下照明１６の上面に配置した板材１７が、ステップ３の移動方向に沿って交互に光通過部を形成するスリット１７ａと、遮光部を形成する構成部分１７ｂとを有することにより、電気的な特別な制御を要することなく、比較的容易に既存のステップ下照明１６の光を点滅させることができ、設置コストを安くすることができる。これにより乗降時における乗客のステップ３に対する視認性を向上させることができ、傾斜型乗客コンベア１のさらなる安全性の確保に貢献する。
【００２６】
以上、本実施形態について、その作用効果も含めて説明した。しかしながら本発明の乗客コンベアは、前述した実施形態に限定されるものでなく、特許請求の範囲に記載した要旨を逸脱しない範囲内で種々の変形例が可能である。
【００２７】
例えば、前述した実施形態では、板材１７をステップ下照明１６の上面に取り付けたが、本発明はこれに限られるものではなく、ステップ３とステップ下照明１６との間にあって、板材１７がステップ下照明１６から離隔して配置された構成であってもよい。
【００２８】
また、前述した実施形態では、ステップ３とステップ下照明１６との間に配置された板材１７に細長状のスリット１７ａが設けられているが、本発明は、このようなスリット１７ａを設けることには限定されない。板材１７に形成される光通過部が複数の丸穴または複数の角穴から成り、遮光部が隣り合う丸穴間または角穴間に形成された板材１７の構成部分１７ｂから成る構成であってもよい。
【００２９】
また、ステップ３とステップ下照明１６との間、例えばステップ下照明１６の上面に、板材１７に代えて透明のシート体を備え、遮光部はシート体に塗布形成された複数の黒色部から成り、光通過部は隣り合う黒色部間に形成されたシート体の構成部分から成るようにしてもよい。
【００３０】
また、ステップ下照明１６は、上面を形成する透明部材を備えた構成とし、遮光部はその透明部材に塗布形成された複数の黒色部から成り、遮光部は隣り合う黒色部間に形成された透明部材の構成部分から成るようにしてもよい。
【００３１】
なお、前述した実施形態は既設の傾斜型乗客コンベア１に適用したものであるが、本発明は新設の乗客コンベアでもよいことはもちろんである。
【符号の説明】
【００３２】
１・・傾斜型乗客コンベア、２・・枠体、２Ａ・・上部水平枠、２Ｂ・・下部水平枠、２Ｃ・・中間傾斜枠、３・・ステップ、４・・駆動装置、１４・・制御装置、１６・・ステップ下照明、１６Ｃ・・光、１７・・板材、１７ａ・・スリット（光通過部）、１７ｂ・・構成部分（遮光部）
【図１】
2018002363.tif 000003
【図２】
2018002363.tif 000004
【図３】
2018002363.tif 000005
【図４】
2018002363.tif 000006
【図５】
2018002363.tif 000007
【図６】
2018002363.tif 000008